(57)【要約】  チャイルドレジスタントパッケージは、開口と、該開口から広がる開口の周りの円錐外面（３４）と、円錐外面から延びる壁（３０）と、を有する容器（２２）を含む。クロージャ（２４）は、ベース壁（４０）と、ベース壁に隣接した第１の部分（４４）および第１の部分に取り外し可能に連結された第２の部分（４６）を有する周囲スカート（４２）と、を有する。第１の環状壁（５４）が、容器の円錐外面とバネ係合／密封係合するためにスカートから半径方向内方の位置でベース壁から延びる。第２の壁（５６）が、第１の壁から半径方向内方の位置で、且つ好ましくはベース壁に対して外方円錐角度でベース壁から延びる。スカートの第２の部分および容器の壁は結合要素（５２、３８）を有し、該結合要素は、第１の壁に、結合要素を外す力がなければチャイルドレジスタント操作モードでクロージャの容器からの取り外しに抵抗する。スカートの第２の部分は、結合要素をスカートから取り外すために第１の部分から脆く取り外すことができ、クロージャは、非チャイルドレジスタント操作モードで第２の壁をスナップ嵌めによって容器口内に受け入れて容器に固定することができる。【選択図】図１
2008540274.tif 000002
【特許請求の範囲】
【請求項１】
開口と、前記開口から広がる前記開口の周りの円錐外面（３４）と、前記円錐外面から延びる壁（３０）と、を有する容器（２２）と、
ベース壁（４０）と、前記ベース壁に隣接した第１の部分（４４）および前記第１の部分に取り外し可能に連結された第２の部分（４６）を有する周囲スカート（４２）と、前記円錐外面とバネ係合／密封係合するための前記スカートから半径方向内方の位置で前記ベース壁から延びる第１の環状壁（５４）と、前記第１の壁から半径方向内方の位置で、且つ前記ベース壁に対して外方円錐角度で前記ベース壁から延びる第２の壁（５６）と、を有するクロージャ（２４）と、を含み、
前記スカートの前記第２の部分および前記容器の前記壁は、結合要素（５２、３８）を有し、該結合要素は、前記第１の壁に、前記結合要素を外す力がなければチャイルドレジスタント操作モードで前記クロージャの前記容器からの取り外しに抵抗し、
前記スカートの前記第２の部分は、前記結合要素を前記スカートから取り外すために前記第１の部分から脆く取り外すことができ、前記クロージャは、非チャイルドレジスタント操作モードで前記第２の壁をスナップ嵌めによって前記容器口内に受け入れて前記容器に固定することができる、
ことを特徴とするチャイルドレジスタントパッケージ。
【請求項２】
前記クロージャの前記第２の壁（５６）は、円周方向に連続している、請求項１に記載のパッケージ。
【請求項３】
前記容器は、前記非チャイルドレジスタント操作モードで前記クロージャの前記第２の壁による係合のための内側ビード（３６）を前記開口の周りに有する、請求項１に記載のパッケージ。
【請求項４】
前記容器は、前記開口の周りに円錐壁部分（３２）を有し、前記円錐外面（３４）は、前記円錐壁部分の外面である、請求項１に記載のパッケージ。
【請求項５】
前記非チャイルドレジスタント操作モードでスナップ嵌めによる前記クロージャの前記第２の壁（５６）の受け入れのための内側ビード（３６）を前記円錐壁部分（３２）の周りに含む、請求項４に記載のパッケージ。
【請求項６】
前記スカート（４２）の前記第２の部分（４６）は、前記第１の部分（４４）に脆く取り外し可能に連結される、請求項１に記載のパッケージ。
【請求項７】
開口と、前記開口から広がる前記開口の周りの円錐外面（３４）と、前記円錐外面から延びる壁（３０）と、を有する容器（２２）と、
ベース壁（４０）と、前記ベース壁に隣接した第１の部分（４４）および前記第１の部分に脆く取り外し可能に連結された、前記ベース壁から遠方の第２の部分（４６）と、を有する周囲スカート（４２）と、前記円錐外面とバネ係合−密封係合するための、前記スカートから半径方向内方の位置で前記ベース壁から延びる可撓性弾性の第１の環状壁（５４）と、前記第１の壁から半径方向内方の位置で、且つ前記ベース壁に対して外方円錐角度で前記ベース壁から延びる円周方向に連続する第２の環状壁（５６）と、を有するクロージャ（２４）と、を含み、
前記スカートの前記第２の部分および前記容器の前記壁は、結合要素（５２、３８）を有し、該結合要素は、前記第１の壁が前記円錐外面とバネ係合／密封係合して、且つ前記第１の壁に、前記結合要素を外す力がなければ前記クロージャの前記容器からの取り外しに抵抗するために前記結合要素が係合して、チャイルドレジスタント操作モードで前記クロージャを前記容器に固定し、
前記スカートの前記第２の部分は、前記結合要素を前記スカートから取り外すために前記第１の部分から脆く恒久的に取り外すことができ、前記クロージャが前記容器から取り外されて、前記クロージャは、非チャイルドレジスタント操作モードで前記第２の壁をスナップ嵌めによって前記容器口内に受け入れて前記容器に固定することができる、
ことを特徴とするチャイルドレジスタントパッケージ。
【請求項８】
前記容器は、前記非チャイルドレジスタント操作モードで前記クロージャの前記第２の壁（５６）による係合のための内側ビード（３６）を前記開口の周りに有する、請求項７に記載のパッケージ。
【請求項９】
前記容器は、前記開口の周りに円錐壁部分（３２）を有し、前記円錐外面（３４）は、前記円錐壁部分の外面である、請求項７に記載のパッケージ。
【請求項１０】
前記非チャイルドレジスタント操作モードでスナップ嵌めによる前記クロージャの前記第２の壁（５６）の受け入れのための内側ビード（３６）を前記円錐壁部分（３２）の周りに含む、請求項９に記載のパッケージ。
【請求項１１】
開口と、前記開口を取り囲み且つ前記開口から広がる外面（３４）を有する円錐壁部分（３２）と、前記円錐壁部分から延びる壁（３０）と、を有する容器（２２）と、
ベース壁（４０）と、前記ベース壁に隣接した第１の部分（４４）および前記第１の部分に脆く取り外し可能に連結された、前記ベースから遠方の第２の部分（４６）を有する、前記ベースから延びる周囲スカート（４２）と、前記円錐外面とバネ係合／密封係合するための、前記スカートから半径方向内方の位置で前記ベース壁から延びる可撓性弾性の第１の環状壁（５４）と、前記第１の壁から半径方向内方の位置で前記ベース壁から延びる円周方向に連続する第２の環状壁（５６）と、を有するクロージャ（２４）と、を含み、
前記スカートの前記第２の部分および前記容器の前記壁は、結合要素（５２、３８）を有し、該結合要素は、前記第１の環状壁が前記円錐外面とバネ係合／密封係合して、且つ前記第１の壁に、前記結合要素を外す力がなければ前記クロージャの前記容器からの取り外しに抵抗するために前記結合要素が係合してチャイルドレジスタント操作モードで前記クロージャを前記容器に固定し、
前記スカートの前記第２の部分は、前記結合要素を前記スカートから取り外すために前記第１の部分から脆く取り外すことができ、前記クロージャは、非チャイルドレジスタント操作モードで前記第２の環状壁をスナップ嵌めによって前記容器口内に受け入れて前記容器に固定することができる、
ことを特徴とするチャイルドレジスタントパッケージ。
【請求項１２】
前記第２の壁（５６）は、前記ベース壁に対して外方円錐角度で前記ベース壁から延びる、請求項１１に記載のパッケージ。
【請求項１３】
前記非チャイルドレジスタント操作モードでスナップ嵌めによる前記第２の壁（５６）の受け入れのための内側ビード（３６）を前記円錐壁部分の周りに含む、請求項１２に記載のパッケージ。
【請求項１４】
一体的に成形されたワンピースのプラスチック構造のクロージャ（２４）であって、
ベース壁（４０）と、
前記ベース壁に隣接した第１の部分（４４）および前記第１の部分に脆く連結された第２の部分（４６）を有する、前記ベース壁から延びる周囲スカート（４２）と、
容器の外面とバネ係合／密封係合するための、前記ベース壁に対して内方円錐角度で、且つ前記スカートから半径方向内方の位置で前記ベース壁から延びる第１の環状壁（５４）と、
前記第１の壁から半径方向内方の位置で、且つ前記ベース壁に対して外方円錐角度で前記ベース壁から延びる円周方向に連続する第２の環状壁（５６）と、
クロージャを容器に固定するべく、容器の対応する要素と係合して結合するための前記スカートの前記第２の部分の要素（５２）と、を含む、
ことを特徴とするクロージャ。
【請求項１５】
前記スカート（４２）、前記第１の壁（５４）および前記第２の壁（５６）は同心である、請求項１４に記載のクロージャ。
【請求項１６】
一体的に成形されたワンピースのプラスチック構造の容器（２２）であって、
開口と、前記開口を取り囲み、且つ前記開口から広がる円錐外面（３４）を有する円錐壁部分（３２）と、前記円錐外面から延びる壁（３０）と、クロージャを容器に固定すべくクロージャに係合するための前記壁の外側係合要素（３８）と、を含む、
ことを特徴とする容器。
【請求項１７】
前記容器口の周りに延びる前記円錐壁の内側ビード（３６）を含む、請求項１６に記載の容器。
【発明の詳細な説明】
【技術分野】
【０００１】
本開示は、非チャイルドレジスタント操作に転換できるチャイルドレジスタントパッケージに関し、およびそのようなパッケージ用クロージャおよび容器に関する。
【背景技術】
【０００２】
米国特許出願公開第２００５／０１０３７４１号は、容器口に隣接した少なくとも１つの雄ネジ部と、容器口から間隔をへだてた偏向可能な外部係止要素と、を含むチャイルドレジスタントパッケージを開示する。クロージャは、容器とのネジ係合のための少なくとも１つの雌ネジ部を有する第１の部分と、容器の偏向可能な係止要素との係合のための係止要素を有する、第１の部分に脆く連結された第２の部分と、を有する周囲スカートを有する。クロージャスカートの第２の部分が第１の部分に連結され、パッケージは、クロージャを容器のネジ係合から外すために容器の係止要素の偏向を要求するチャイルドレジスタント操作をするようになっている。クロージャスカートの第２の部分が使用者によって取り外されたとき、クロージャは、非チャイルドレジスタント操作モードで、単に容器にネジで止めるおよび容器からネジを外すことができる。本開示の一般的な目的は、非チャイルドレジスタントモードでスナップキャップ操作するようになっているチャイルドレジスタントパッケージ、クロージャおよび容器を提供することにある。
【発明の開示】
【課題を解決するための手段】
【０００３】
本開示は、互いに別々にあるいは組み合わせて実施することができる、多数の態様あるいは発明を具体化する。
【０００４】
本開示の第１の態様によれば、チャイルドレジスタントパッケージは、開口と、該開口から広がる開口の周りの円錐外面と、円錐外面から延びる壁と、を有する容器を含む。クロージャは、ベース壁と、ベース壁に隣接した第１の部分および第１の部分と取り外し可能に連結された第２の部分を有する周囲スカートと、を有する。第１の環状壁が、容器の円錐外面とバネ係合／密封係合するためにスカートから半径方向内方の位置でベース壁から延びている。第２の壁は、第１の壁から半径方向内方の位置で、且つ好ましくはベース壁に対して外方円錐角度でベース壁から延びている。スカートの第２の部分および容器の壁は結合要素を有し、該結合要素は、第１の壁に、結合要素を外す力がなければチャイルドレジスタント操作モードでクロージャの容器からの取り外しに抵抗する。スカートの第２の部分は、結合要素をスカートから取り外すために第１の部分から脆く取り外すことができ、クロージャは、非チャイルドレジスタント操作モードで、第２の壁をスナップ嵌めによって容器口内に受け入れて容器に固定することができる。
【発明を実施するための最良の形態】
【０００５】
本開示は、その付加的な目的、特徴、利点および態様と一緒に、以下の記載、添付した特許請求の範囲および添付図面から最も良く理解されるであろう。
【０００６】
図１〜２は、容器２２およびチャイルドレジスタント操作モードで容器に固定されたクロージャ２４を含むものとして、本開示の例示的実施形態によるパッケージ２０を示す。容器２２（図１〜５）は、いかなる適当な構造および形態の側壁２８から延びるほぼ円筒形の口部２６を含む。口部２６は、好ましくは、円筒壁３０を含み、該円筒壁３０の上端から半径方向内方にテーパする円錐壁部分３２が延びている。（「上」および「下」のような方向を示す言葉は、図面に示すパッケージ、容器およびクロージャの直立方向に対して、説明の、および限定しない目的で用いられる。「半径方向」および「軸線方向」のような方向を示す言葉は、必要に応じて容器口部および／またはクロージャスカートの軸線に対して、説明の、および限定しない目的で用いられる。）円錐壁部分３２は、容器の上端の開放口から広がる円錐外面３４を有する。内側ビード３６、好ましくは円周方向に連続する内側ビードが、円錐壁部分３２の開放上端に隣接した容器口の内周の周りに延びる。外側係合要素３８が、チャイルドレジスタント操作モードで容器クロージャによる係合のために、口部壁３０の外面の周りに配置される。図面に示す特定の係合要素３８は、米国特許第４，０５９，１９８号および同第４，４８５，９３２号に示されたものと同様であるが、他のチャイルドレジスタント係合要素を用いてもよい。容器２２は、好ましくは、一体的に成形されたワンピースのプラスチック構造のものである。例示としてのみ、容器円錐面３４は、容器口部の軸線に対して２５°の公称角度であるのがよい。
【０００７】
クロージャ２４は、一体的に成形されたワンピースのプラスチック構造のものであり、ベース壁４０および周囲スカート４２を含む。周囲スカート４２は、ベース壁４０に隣接した第１の部分あるいは上部分４４と、ベース壁４０から遠方の第２の部分あるいは下部分４６と、を有する。第２のスカート部分４６は、例えば、線５０（図２、６および７）に沿って刻み目をつけることによって脆くするリーダ４８によって第１のスカート部分４４に脆く連結される。変形例では、スカート部分４４、４６は、互いに間隔をへだてた要素として成形され、且つ脆いリーダ４８によって相互連結されてもよい。係合要素５２は、容器２２の要素３８と係合するために第２のスカート部分４６に配置される。図面に示す特定の実施形態では、係合要素５２は、容器係合要素３８のポケットに選択的に係合する内部ラグの形態である。
【０００８】
円周方向に連続する第１の環状壁５４が、第１のスカート部分４４内でベース壁４０から延びている。第１の壁５４は、可撓性且つ弾性であり、好ましくは成形されるときベース壁４０から半径方向内方、且つ軸線方向下方の円錐角度で延びている。第２の環状壁５６が、第１の壁５４から半径方向内方にベース壁４０から延びている。第２の壁５６は、壁５４よりも短い軸線寸法のものであり、好ましくはベース壁４０に対して軸線方向内方且つ半径方向外方の円錐角度で延びている。（例示的実施形態ではベース壁４０を平らに示すが、所望ならば起伏があってもよい。）壁５４、５６は、好ましくは円周方向に連続し、互いに同心であり、且つ第１のスカート部分４４と同心である。壁５４、５６は、好ましくは０．０１０インチの公称厚さのような均一な厚さのものである。例示としてのみ、壁５４は成形されるときクロージャスカート４２の軸線に対して１０°の公称角度であるのがよく、壁５６は、成形されるとき、クロージャ軸線に対して２０°の公称角度であるのがよい。
【０００９】
スカート部分４６がそこなわれていない、すなわち、スカート部分４４から分離されていない、図１〜２に示すチャイルドレジスタント操作モードでは、第１のクロージャ壁５４が、容器口部２６の円錐外面３４に係合して、パッケージを密封し、且つ結合要素３８、５２を係合状態に保つバネ力を与える。壁５４は、可撓性且つ弾性であり、好ましくは円錐面３４と係合した下部分で、半径方向外方に撓み、第１の壁の上部分は、円錐内方角度のままである。クロージャを容器から取り外すために、クロージャ係合要素５２が容器係合要素３８を離れるまで、表面３４に向う壁５４のバネ力に抗して、容器２２に対してクロージャ２４に手で下方に力を加えると、クロージャを容器から取り外すことができる。第２のクロージャスカート部分４６の軸線方向下方に面した肩部５８が、容器２２の係合要素３８と協働して、第１の壁５４に加えることのできる圧縮ストロークを制限する。クロージャが容器から取り外された非チャイルドレジスタント操作（図８および９）では、第２のスカート部分４６が第１のスカート部分４４から脆く恒久的に取り外される。次いで、第２のクロージャ壁５６が、スナップ嵌めによって容器口内のビード３６の上に受け入れられる。第２のクロージャ壁５６は、好ましくは円周方向に連続しているので、壁５６は容器口の周りの内側ビード３６に対して密封する。第１のクロージャ壁５４は、また、非チャイルドレジスタント操作モードで二次的な密封を作る。かくして、クロージャは、非チャイルドレジスタント操作モードでスナップキャップとして機能する。
【００１０】
かくして、非チャイルドレジスタント操作に転換できる、且つ先に述べた全ての目的および意図を完全に満たす、チャイルドレジスタントパッケージ、クロージャおよび容器を開示した。本開示を、現在好ましい例示的実施形態に関連して提示し、多数の変形および変更を議論してきた。他の変形および変更が、前記議論を考慮して、当業者の頭に浮かぶであろう。本開示は、全てのそのような変形および変更を、添付特許請求の範囲の精神および広い範囲の内であるように、含むものである。
【図面の簡単な説明】
【００１１】
【図１】本開示の例示的実施形態によるチャイルドレジスタントパッケージの側面図である。
【図２】図１のパッケージの断片的な断面図である。
【図３】図１のパッケージの容器の、部分的に断面図の正面図である。
【図４】図３の領域４内の部分の拡大断面図である。
【図５】図４の領域５内の部分の拡大断面図である。
【図６】図１および２のパッケージのクロージャの、部分的に断面図の正面図である。
【図７】図６の領域７内の部分の拡大断面図である。
【図８】非チャイルドレジスタント操作モードの図１のパッケージの正面図である。
【図９】図８のパッケージの断片的な断面図である。
【図１】
2008540274.tif 000003
【図２】
2008540274.tif 000004
【図３】
2008540274.tif 000005
【図４】
2008540274.tif 000006
【図５】
2008540274.tif 000007
【図６】
2008540274.tif 000008
【図７】
2008540274.tif 000009
【図８】
2008540274.tif 000010
【図９】
2008540274.tif 000011
【手続補正書】
【提出日】平成19年2月12日(2007.2.12)
【手続補正１】
【補正対象書類名】特許請求の範囲
【補正対象項目名】全文
【補正方法】変更
【補正の内容】
【特許請求の範囲】
【請求項１】
開口と、前記開口から広がる前記開口の周りの円錐外面（３４）と、前記円錐外面から延びる壁（３０）と、を有する容器（２２）と、
ベース壁（４０）と、前記ベース壁に隣接した第１の部分（４４）および第２の部分（４６）を有する周囲スカート（４２）と、前記円錐外面とバネ係合／密封係合するための前記スカートから半径方向内方の位置で前記ベース壁から延びる第１の環状壁（５４）と、前記第１の壁から半径方向内方の位置で、且つ前記ベース壁に対して外方円錐角度で前記ベース壁から延びる第２の壁（５６）と、を有するクロージャ（２４）と、を含み、
前記スカートの前記第２の部分および前記容器の前記壁は、結合要素（５２、３８）を有し、該結合要素は、前記第１の壁に、前記結合要素を外す力がなければチャイルドレジスタント操作モードで前記クロージャの前記容器からの取り外しに抵抗する、チャイルドレジスタントパッケージにおいて、
前記スカートの前記第２の部分は、前記結合要素を前記スカートから取り外すために前記第１の部分から脆く取り外すことができ、前記クロージャは、非チャイルドレジスタント操作モードで前記第２の壁をスナップ嵌めによって前記容器口内に受け入れて前記容器に固定することができる、
ことを特徴とするチャイルドレジスタントパッケージ。
【請求項２】
前記クロージャの前記第２の壁（５６）は、円周方向に連続している、請求項１に記載のパッケージ。
【請求項３】
前記第１の壁は、可撓性且つ弾性である、請求項２に記載のパッケージ。
【請求項４】
前記容器は、前記非チャイルドレジスタント操作モードで前記クロージャの前記第２の壁による係合のための内側ビード（３６）を前記開口の周りに有する、請求項１に記載のパッケージ。
【請求項５】
前記容器は、前記開口の周りに円錐壁部分（３２）を有し、前記円錐外面（３４）は、前記円錐壁部分の外面である、請求項１に記載のパッケージ。
【請求項６】
前記非チャイルドレジスタント操作モードでスナップ嵌めによる前記クロージャの前記第２の壁（５６）の受け入れのための内側ビード（３６）を前記円錐壁部分（３２）の周りに含む、請求項５に記載のパッケージ。
【請求項７】
前記スカート（４２）の前記第２の部分（４６）は、前記第１の部分（４４）に脆く取り外し可能に連結される、請求項１に記載のパッケージ。
【国際調査報告】
2008540274.tif 000012
2008540274.tif 000013
2008540274.tif 000014